(57)【要約】【課題】個人認証用のデータを自動で取り込めるようにすると共に、認証と登録データベースの作成とを１つの装置で簡単に行うことができる個人識別装置を提供すること。【解決手段】アイリス検出部１０２は、撮像部１０１よりの映像信号出力からアイリス画像を抽出する。アイリスコード生成部１０３は、このアイリス画像から、アイリスコードを生成する。照合部１０４では、このアイリスコードと、登録データベース１０５に登録されているアイリスコードとの照合を行う。両者が一致する場合（ＯＫで示す）は、信号ＯＵＴを出力する。また、両者が不一致の場合（ＮＧで示す）は、アイリスコード生成部１０３から生成されたアイリスコードを、被識別者の特徴を示す情報の１つとして自動登録部１０６により登録データベース１０５への登録を行う。しかし、この場合は、前述の信号ＯＵＴは出力されない。【選択図】　　図１
2004038305.tif 000002
【特許請求の範囲】
【請求項１】
被識別者のバイオメトリクス情報に基づいて前記被識別者を識別する個人識別装置であって、
被識別者のバイオメトリクス情報を被識別者毎に記憶しているバイオメトリクス情報記憶手段と、
被識別者のバイオメトリクス情報と前記バイオメトリクス情報記憶手段に記憶されているバイオメトリクス情報とを照合して、前記被識別者のバイオメトリクス情報が前記バイオメトリクス情報記憶手段に登録されているかを識別する照合手段と、
前記照合手段による照合の結果、被識別者のバイオメトリクス情報が前記バイオメトリクス情報記憶手段に登録されていなければ、当該被識別者のバイオメトリクス情報を前記バイオメトリクス情報記憶手段に登録するバイオメトリクス情報登録手段と、
を備えたことを特徴とする個人識別装置。
【請求項２】
前記バイオメトリクス情報は目の虹彩を撮影した画像をコード化したアイリスコードであることを特徴とする請求項１記載の個人識別装置。
【請求項３】
被識別者の目を撮影するための撮像手段と、
前記撮像部で撮影された画像から目の虹彩部分を検出して、前記被識別者の目の虹彩情報を抽出する虹彩検出手段と、
前記被識別者の目の虹彩情報からアイリスコードを生成するアイリスコード生成手段と、
被識別者のアイリスコードを被識別者毎に記憶しているアイリスコード記憶手段と、
前記アイリスコード生成手段で生成された前記被識別者のアイリスコードと前記アイリスコード記憶手段に登録されているアイリスコードとを照合して、前記被識別者のアイリスコードが前記アイリスコード記憶手段に登録されているかを識別する照合手段と、
前記照合手段による照合の結果、被識別者のアイリスコードが前記アイリスコード記憶手段に登録されていなければ、当該被識別者のアイリスコードを前記アイリスコード記憶手段に登録するアイリスコード登録手段と、
を備えたことを特徴とする個人識別装置。
【発明の詳細な説明】
【０００１】
【発明の属する技術分野】
本発明は、個人に固有な情報（バイオメトリクス情報）であるアイリス情報（目の虹彩）を利用して、個人の識別や個人の識別に必要な個人データの登録を行う個人識別装置に関する。
【０００２】
【従来の技術】
近年、指紋や虹彩といった情報、すなわち個人に固有な情報（バイオメトリクス情報）を利用した個人識別装置の開発が進んでいる。従来の個人識別装置としては、例えば図２に示すようなものがある。図２は、特開平１０−１３７２２０号公報に記載の個人識別装置の構成を示すブロック図である。
【０００３】
当該公報に記載の個人識別装置は、図２に示すように、被識別者の目を撮影するためのビデオカメラ９４０と、距離計算部９５１と、レーザ光制御部９５２と、レーザ発光部９５３と、ハーフミラー５４と、撮影像の表示画面を備えたモニタ９５５と、アイリス（虹彩）コード生成部９５６と、照合部９５７と、照合用の個人データが登録されている登録データベース９５８とを備え、ビデオカメラ９４０はズームレンズ９４１およびズーム機構部９４２とを有している。
【０００４】
なお、符号９１１は被識別者９１０の目、ＰＳは位置信号、ＤＳは距離信号、ＬＺはレーザ発光部９５３から出力されたレーザ光、ＬＺ’は目９１１で反射されたレーザ光、ＩＲはアイリスコードをそれぞれ示すものとする。
【０００５】
以下、図２に示した従来の個人識別装置の動作について説明する。
個人識別に際しては、まず、ビデオカメラ９４０を操作して、被識別者９１０の目９１１が撮影される。このとき、モニタ９５５の画面一杯に目９１１の撮影像が入るようにズームレンズ９４１が調整される。この調整後の撮影により、距離計算部９５１は、ズーム機構部９４２から出力される位置信号ＰＳに基づいて距離信号ＤＳを生成し、距離信号ＤＳをレーザ光制御部９５２に送出する。
【０００６】
レーザ光制御部９５２は、距離信号ＤＳに応じた最適強度のレーザ光ＬＺを発光させるための強度信号ＩＳをレーザ発光部９５３に与える。レーザ発光部９５３から出力されたレーザ光ＬＺは、ハーフミラー９５４で反射されて被識別者９１０の目９１１を照射する。目９１１で反射されたレーザ光ＬＺ’は、一部がハーフミラー９５４を通過するので、これによりビデオカメラ９４０で被識別者９１０の目９１１のアイリス（虹彩）を含む影像が撮影される。この撮影されたアイリスを含む撮影像は、モニタ９５５とアイリスコード生成部９５６とに送出され、モニタ９５５において目９１１の撮影像が表示されると共に、アイリスコード生成部９５６において目９１１のアイリスコードＩＲが生成され、アイリスコードＩＲは照合部５７に送出され、照合部５７において登録データベース９５８のデータと照合されることにより個人識別が行われる。
【０００７】
【発明が解決しようとする課題】
上記説明した従来の個人識別装置にあっては、個人識別を行うに際して、登録データベース９５８に登録データ（アイリスコード）が登録されていることが要求される。すなわち、従来の個人識別装置は、登録データベース９５８に登録されている登録データと、撮影像に基づいて生成された個人の認証用アイリスコードとを照合し、個人の認証用アイリスコードが登録データベース９５８にアイリスコードとして登録されているか否かによって個人の識別を行っている。したがって、登録データベース９５８への登録は予め別の手段で済ませておかなければならない。しかし、そのためには登録のための別システムが必要となるためコスト増を招くといった問題点の他に、顧客と検査側の双方においてアイリスコード登録のための手間がかかるという問題点があった。
【０００８】
本発明は、上記従来の問題点に鑑みてなされたものであって、個人認証用のデータを自動で取り込めるようにすると共に、認証と登録データベースの作成とを１つの装置で簡単に行うことができる個人識別装置を提供することを目的としている。
【０００９】
【課題を解決するための手段】
上記目的を達成するために、本発明に係る個人識別装置は、被識別者のバイオメトリクス情報に基づいて前記被識別者を識別する個人識別装置であって、被識別者のバイオメトリクス情報を被識別者毎に記憶しているバイオメトリクス情報記憶手段と、被識別者のバイオメトリクス情報と前記バイオメトリクス情報記憶手段に記憶されているバイオメトリクス情報とを照合して、前記被識別者のバイオメトリクス情報が前記バイオメトリクス情報記憶手段に登録されているかを識別する照合手段と、前記照合手段による照合の結果、被識別者のバイオメトリクス情報が前記バイオメトリクス情報記憶手段に登録されていなければ、当該被識別者のバイオメトリクス情報を前記バイオメトリクス情報記憶手段に登録するバイオメトリクス情報登録手段と、を備えている。したがって、個人識別用のデータを自動で取り込めるようにすると共に、認証と登録データベースの作成とを１つの装置で簡単に行うことができる。
【００１０】
また、本発明に係る個人識別装置は、前記バイオメトリクス情報は目の虹彩を撮影した画像をコード化したアイリスコードであることが望ましい。
【００１１】
さらに、本発明に係る個人識別装置は、被識別者の目を撮影するための撮像手段と、前記撮像部で撮影された画像から目の虹彩部分を検出して、前記被識別者の目の虹彩情報を抽出する虹彩検出手段と、前記被識別者の目の虹彩情報からアイリスコードを生成するアイリスコード生成手段と、被識別者のアイリスコードを被識別者毎に記憶しているアイリスコード記憶手段と、前記アイリスコード生成手段で生成された前記被識別者のアイリスコードと前記アイリスコード記憶手段に登録されているアイリスコードとを照合して、前記被識別者のアイリスコードが前記アイリスコード記憶手段に登録されているかを識別する照合手段と、前記照合手段による照合の結果、被識別者のアイリスコードが前記アイリスコード記憶手段に登録されていなければ、当該被識別者のアイリスコードを前記アイリスコード記憶手段に登録するアイリスコード登録手段と、を備えている。これにより、アイリスコードの事前登録に使用する装置と、個人識別に使用する装置とを同じ装置とすることが可能となり、登録処理まで含めた装置のコストを低減すると共に、識別の精度を高めて信頼性を向上させることができる。
【００１２】
【発明の実施の形態】
以下、本発明の個人識別装置の実施の形態について、図面を参照して詳細に説明する。
【００１３】
図１は、本発明に係る一実施形態の個人識別装置の構成を示すブロック図である。同図に示すように、本実施形態の個人識別装置は、特許請求の範囲の撮像手段に該当する撮像部１０１と、虹彩検出手段に該当するアイリス検出部１０２と、アイリスコード生成手段に該当するアイリスコード生成部１０３と、照合手段に該当する照合部１０４と、バイオメトリクス情報記憶手段またはアイリスコード記憶手段に該当する登録データベース１０５と、バイオメトリクス情報登録手段またはアイリスコード登録手段に該当する自動登録部１０６とを備えて構成されている。
【００１４】
なお、符号１０７は被識別者、１０８は被識別者１０７の目（虹彩＝アイリス）、ＩＲはアイリスコード、ＯＵＴは照合により一致が得られた場合の出力信号（被識別者を特定するアイリスコード）をそれぞれ示すものとする。また、撮像部１０１は、図２に示したビデオカメラ９４０を含む周辺の構成と同じとすることが可能である。
【００１５】
以下、本実施形態の個人識別装置が有する各構成要素について説明する。
まず、撮像部１０１は、被識別者１０７の目１０８（より具体的には、目の（虹彩＝アイリス）を含む範囲）を撮影するものである。また、アイリス検出部１０２は、撮像部１０１より出力された映像信号からアイリス部分を検出し、アイリス情報（アイリス画像等）を抽出するものである。また、アイリスコード生成部１０３は、アイリス検出部１０２によって抽出されたアイリス情報からアイリスコードを生成するものである。
【００１６】
また、照合部１０４は、アイリスコード生成部１０３によって生成されたアイリスコード（以下「生成アイリスコード」という。）と、登録データベース１０５に登録されているアイリスコード（以下「登録アイリスコード」という。）との照合を行うものである。
【００１７】
照合部１０４は、当該照合の結果、生成アイリスコードが登録アイリスコードと一致する場合（図１に示したＯＫの場合）は、アイリスコード生成部１０３から生成されたアイリスコードであって被識別者を特定する情報である信号ＯＵＴを出力する。一方、生成アイリスコードが登録アイリスコードと一致しない場合（図１に示したＮＧの場合）は、生成アイリスコードを被識別者の特徴を示す情報の１つとして自動登録部１０６に出力し、前記信号ＯＵＴを出力しない。
【００１８】
また、自動登録部１０６は、生成アイリスコードが登録アイリスコードと一致しない場合（図１に示したＮＧの場合）に照合部１０４から出力された生成アイリスコードを登録データベース１０５に登録するものである。また、登録データベース１０５は、自動登録部１０６によって登録されたアイリスコードを記憶するデータベースである。
【００１９】
以上説明したように、本実施形態の個人識別装置によれば、例えば店の顧客管理を行う場合等に、会員と称する顧客に対してはアイリスコードに基づいて会員であることを識別してから、当該顧客に対するサービスを行うことができる。また、会員であることを識別できなかった場合は、当該識別に用いたアイリスコードを登録することによってその顧客を会員登録することができる。
【００２０】
なお、本実施形態では、個人に固有な情報（バイオメトリクス情報）として、アイリスコードを抽出して使用する場合について説明したが、個人に固有な他の情報を抽出して使用する場合にも適用可能である。
【００２１】
【発明の効果】
以上説明したように、本発明に係る個人識別装置によれば、個人識別用のデータを自動で取り込めるようにすると共に、認証と登録データベースの作成とを１つの装置で簡単に行うことができる。
【図面の簡単な説明】
【図１】本発明に係る一実施形態の個人識別装置の構成を示すブロック図
【図２】特開平１０−１３７２２０号公報に記載の個人識別装置の構成を示すブロック図
【符号の説明】
１０１　撮像部
１０２　アイリス検出部
１０３　アイリスコード生成部
１０４　照合部
１０５　登録データベース
１０６　自動登録部
１０７　被識別者
１０８　目
【図１】
2004038305.tif 000003
【図２】
2004038305.tif 000004